(57)【特許請求の範囲】
【請求項１】
建物の床に敷設した温水管路に温水を循環させて建物内に熱を供給する床暖房の制御方法であって；
上記温水管路に供給する温水の温度（往き温ＴS ）と該管路から戻ってくる温水の温度（戻り温ＴB ）との温度差を検知し、
該温度差に応じて、供給する温水の温度、及び／又は、温水供給をＯＮ−ＯＦＦする時間（断続時間）を制御し、
上記温度差を検知する際に、ある時の温水の往き温ＴS から、その時から温水の循環時間が経過した後の温水の戻り温ＴB を差し引くことを特徴とする床暖房制御方法。
【請求項２】
建物の床に敷設した温水管路に温水を循環させて建物内に熱を供給する床暖房の制御方法であって；
上記温水管路に供給する温水の温度（往き温ＴS ）と該管路から戻ってくる温水の温度（戻り温ＴB ）との温度差を検知し、
ＴS −ＴB ≧Ｔ1 のときは高温水を連続的に温水管路に流し、
Ｔ1 ＞ＴS −ＴB ≧Ｔ2 のときは低温水を連続的に温水管路に流し、
Ｔ2 ＞ＴS −ＴB のときは低温水を断続的に温水管路に流すことを特徴とする床暖房制御方法。
【請求項３】
建物の床に敷設した温水管路に温水を循環させて建物内に熱を供給する床暖房の制御方法であって；
上記温水管路に供給する温水の温度（往き温ＴS ）と該管路から戻ってくる温水の温度（戻り温ＴB ）との温度差を検知し、
ＴS −ＴB ≧Ｔ1 のときは温水を連続的に温水管路に流し、
Ｔ1 ＞ＴS −ＴB のときは温水を断続的に温水管路に流すことを特徴とする床暖房制御方法。
【請求項４】
建物の床に敷設した温水管路に温水を循環させて建物内に熱を供給する床暖房の制御方法であって；
上記温水管路に供給する温水の温度（往き温ＴS ）と該管路から戻ってくる温水の温度（戻り温ＴB ）との温度差、並びに床暖房の対象となる室の温度ＴR を検知し、
ＴS −ＴB ≧Ｔ3 のときは、上記温度差に応じて、供給する温水の温度、及び／又は、温水供給をＯＮ−ＯＦＦする時間（断続時間）を制御し、
Ｔ3 ＞ＴS −ＴB のときは、室温ＴR と使用者の設定温度ＴC との差に応じて、供給する温水の温度、及び／又は、温水供給をＯＮ−ＯＦＦする時間（断続時間）を制御することを特徴とする床暖房制御方法。
【請求項５】
建物の床に敷設した温水管路に温水を循環させて建物内に熱を供給する床暖房の制御方法であって；
上記温水管路に供給する温水の温度（往き温ＴS ）と該管路から戻ってくる温水の温度（戻り温ＴB ）との温度差、並びに床暖房の対象となる室の温度ＴR を検知し、
ＴS −ＴB ≧Ｔ4 のときは高温水を連続的に温水管路に流し、
Ｔ4 ＞ＴS −ＴB のときは、室温ＴR と使用者の設定温度ＴC との差に応じて低温水を断続的に温水管路に流すことを特徴とする床暖房制御方法。
【請求項６】
上記温水の循環開始後、温水の循環時間が経過してから後に上記制御を開始することを特徴とする請求項１〜５いずれか１項記載の床暖房制御方法。
【請求項７】
上記温度差を検知する際に、ある時の温水の往き温ＴS から、その時から温水の循環時間が経過した後の温水の戻り温ＴB を差し引くことを特徴とする請求項２〜５いずれか１項記載の床暖房制御方法。
【請求項８】
建物の床に敷設された温水管路と、
該管路に温水を供給する熱源機と、
各温水管路への温水供給を制御する弁と、
各温水管路に供給される温水の温度を検出するセンサと、
各温水管路から戻ってくる温水の温度を検出するセンサと、
上記各温度計の信号を受けて上記熱源機及び弁を制御する制御部と、を備え、
上記制御部が、上記温水管路に供給する温水の温度（往き温ＴS ）と該管路から戻ってくる温水の温度（戻り温ＴB ）との温度差を検知し、
ＴS −ＴB ≧Ｔ1 のときは高温水を連続的に温水管路に流し、
Ｔ1 ＞ＴS −ＴB ≧Ｔ2 のときは低温水を連続的に温水管路に流し、
Ｔ2 ＞ＴS −ＴB のときは低温水を断続的に温水管路に流すことを特徴とする床暖房装置。
【請求項９】
建物の床に敷設された温水管路と、
該管路に温水を供給する熱源機と、
各温水管路への温水供給を制御する弁と、
各温水管路に供給される温水の温度を検出するセンサと、
各温水管路から戻ってくる温水の温度を検出するセンサと、
上記各温度計の信号を受けて上記熱源機及び弁を制御する制御部と、を備え、
上記制御部が、上記温水管路に供給する温水の温度（往き温ＴS ）と該管路から戻ってくる温水の温度（戻り温ＴB ）との温度差を検知し、
ＴS −ＴB ≧Ｔ1 のときは温水を連続的に温水管路に流し、
Ｔ1 ＞ＴS −ＴB のときは温水を断続的に温水管路に流すことを特徴とする床暖房装置。
【請求項１０】
建物の床に敷設された温水管路と、
該管路に温水を供給する熱源機と、
各温水管路への温水供給を制御する弁と、
各温水管路に供給される温水の温度を検出するセンサと、
各温水管路から戻ってくる温水の温度を検出するセンサと、
上記各温度計の信号を受けて上記熱源機及び弁を制御する制御部と、を備え、
上記制御部が、上記温水管路に供給する温水の温度（往き温ＴS ）と該管路から戻ってくる温水の温度（戻り温ＴB ）との温度差、並びに床暖房の対象となる室の温度ＴR を検知し、
ＴS −ＴB ≧Ｔ3 のときは、上記温度差に応じて、供給する温水の温度、及び／又は、温水供給をＯＮ−ＯＦＦする時間（断続時間）を制御し、
Ｔ3 ＞ＴS −ＴB のときは、室温ＴR と使用者の設定温度ＴC との差に応じて、供給する温水の温度、及び／又は、温水供給をＯＮ−ＯＦＦする時間（断続時間）を制御することを特徴とする床暖房制御方法。
【請求項１１】
建物の床に敷設された温水管路と、
該管路に温水を供給する熱源機と、
各温水管路への温水供給を制御する弁と、
各温水管路に供給される温水の温度を検出するセンサと、
各温水管路から戻ってくる温水の温度を検出するセンサと、
上記各温度計の信号を受けて上記熱源機及び弁を制御する制御部と、を備え、
上記温水管路に供給する温水の温度（往き温ＴS ）と該管路から戻ってくる温水の温度（戻り温ＴB ）との温度差、並びに床暖房の対象となる室の温度ＴR を検知し、
ＴS −ＴB ≧Ｔ4 のときは高温水を連続的に温水管路に流し、
Ｔ4 ＞ＴS −ＴB のときは、室温ＴR と使用者の設定温度ＴC との差に応じて低温水を断続的に温水管路に流すことを特徴とする床暖房装置。
【請求項１２】
建物の床に敷設された温水管路と、
該管路に温水を供給する熱源機と、
各温水管路への温水供給を制御する弁と、
該弁が開いた時間を検知してカウントを開始するタイマと、
各温水管路に供給される温水の温度を検出するセンサと、
各温水管路から戻ってくる温水の温度を検出するセンサと、
上記各温度計の信号を受けて上記熱源機及び弁を制御する制御部と、を備え、
上記タイマが温水の循環時間をカウントした後に、上記制御部が、上記温水管路に供給する温水の温度（往き温ＴS ）と該管路から戻ってくる温水の温度（戻り温ＴB ）との温度差を検知し、
該温度差に応じて、供給する温水の温度、及び／又は、温水供給をＯＮ−ＯＦＦする時間（断続時間）を制御することを特徴とする床暖房装置。
【請求項１３】
建物の床に敷設された温水管路と、
該管路に温水を供給する熱源機と、
各温水管路への温水供給を制御する弁と、
各温水管路に供給される温水の温度を検出するセンサと、
該センサが温水の温度を検出した時間を検知してカウントを開始するタイマと、
各温水管路から戻ってくる温水の温度を検出するセンサと、
上記各温度計の信号を受けて上記熱源機及び弁を制御する制御部と、を備え、
上記タイマが温水の循環時間をカウントした後に、上記制御部が、上記温水管路に供給する温水の温度（往き温ＴS ）と該管路から戻ってくる温水の温度（戻り温ＴB ）との温度差を検知し、
該温度差に応じて、供給する温水の温度、及び／又は、温水供給をＯＮ−ＯＦＦする時間（断続時間）を制御することを特徴とする床暖房装置。
【発明の詳細な説明】
【０００１】
【発明の属する技術分野】
本発明は、建物の床から室内を暖める床暖房に関する。特には、温水式床暖房において、実際の床温に対応して適切な暖房を与えることのできるよう改良を加えた床暖房制御方法及び床暖房装置に関する。
【０００２】
【従来の技術】
温水式床暖房においては、熱源機から約６０℃または８０℃の温水が往きの温水管路を通して各部屋の床に敷設されている温水循環管路に送られる。循環管路内を循環した温水は、戻りの管路を通って熱源機に戻る。床暖房では管路中の温水の熱が奪われ（放熱し）て床を暖めており、戻りの管路内の温水は、往きの管路内の温水よりも温度が低くなっている。
【０００３】
床暖房においては、室温センサを備えたものと、備えていないものがある。室温センサを備えたものは、検出された室温と使用者の設定温度との差に応じて、温水循環割合（所定時間内の温水供給時間と停止時間の割合）を制御している。すなわち、室温が設定温度よりも低いときは、温水を継続して循環させ、室温が高いときは、温水の循環を一時停止させる。室温センサを備えていないものは、実際の室温に関係なく、設定温度に応じた固定の温水循環割合を繰り返す。
また、床温センサを備えた床暖房もある。この場合は、床温が設定温度となるように温水循環割合を制御する。
【０００４】
【発明が解決しようとする課題】
一般の床暖房においては、エアコン等の他の室内暖房機と併用する場合には、室温は高いが床温は低いという状態となることがある。このような状態となると、室温センサを備えた床暖房では、室温が十分に高いので温水の循環を停止するよう制御され、床温が上昇しにくいという不都合を生じる。なお、室温センサを備えていない床暖房の場合は、室温等のいかんに関わらず使用者が選択した暖房強度レベルに応じた時間割合で温水を循環させる。
【０００５】
一方、床温センサを備える床暖房の場合は、床の温度を直接測定してその温度に応じて制御するため正確な床温制御が可能である。しかし、床内部にセンサを埋設するため、センサが故障した際にはメンテナンスが困難である。また、センサの埋設位置に人が座ったような場合には、センサの検知温度が他の場所よりも高くなって全体的な適切な温度制御ができない場合がある。
【０００６】
本発明は、このような問題点に鑑みてなされたもので、温水式床暖房において、実際の床温に対応して適切な暖房を与えることのできる床暖房制御方法及び床暖房装置を提供することを目的とする。
【０００７】
【課題を解決するための手段】
上記課題を解決するため、本発明の第１態様の床暖房制御方法は、建物の床に敷設した温水管路に温水を循環させて建物内に熱を供給する床暖房の制御方法であって；上記温水管路に供給する温水の温度（往き温ＴS ）と該管路から戻ってくる温水の温度（戻り温ＴB ）との温度差を検知し、該温度差に応じて、供給する温水の温度、及び／又は、温水供給をＯＮ−ＯＦＦする時間（断続時間）を制御し、上記温度差を検知する際に、ある時の温水の往き温ＴS から、その時から温水の循環時間が経過した後の温水の戻り温ＴB を差し引くことを特徴とする。
往き温と戻り温の温度差が大きい場合は、放熱された熱量が大きいこととなり、床温が低いと推定される。この場合、供給する温水の温度を高くしたり供給時間を増やすよう制御し、床温を上げる。温度差が小さい場合は、床温が相当に高いと推定し、温水の温度を低くしたり供給時間を減らす。
【０００８】
この態様においては、  ＴS −ＴB ≧Ｔ1 のときは高温水を連続的に温水管路に流し、  Ｔ1 ＞ＴS −ＴB ≧Ｔ2 のときは低温水を連続的に温水管路に流し、
Ｔ2 ＞ＴS −ＴB のときは低温水を断続的に温水管路に流すことができる。
温度差が、第１所定値以上の場合、第１所定値未満で第２所定値以上の場合、第２所定値未満の場合の三つに分けて、床温を低、中、高と推定する。推定された床温に応じて、各々高温水を連続的に供給、低温水を連続的に供給、低温水を断続的に供給し、床温を希望の温度に保つ。このように制御することにより、より細かい床温制御ができる。
【０００９】
また、  ＴS −ＴB ≧Ｔ1 のときは温水を連続的に温水管路に流し、  Ｔ1 ＞ＴS −ＴB のときは温水を断続的に温水管路に流すこととしてもよい。
温度差が、第１所定値以上の場合と第１所定値未満の場合の二つに分けて、床温を低、高と推定する。低温の室には温水を連続的に供給し、高温の室には温水を断続的に供給し、床温を希望の温度とする。この態様では、温水の温度を変える必要がなく、また室温を２段階としたことで制御が容易となる。
【００１０】
また、  床暖房の対象となる室の温度ＴR を検知し、  ＴS −ＴB ≧Ｔ3 のときは、上記温度差に応じて、供給する温水の温度、及び／又は、温水供給をＯＮ−ＯＦＦする時間（断続時間）を制御し、  Ｔ3 ＞ＴS −ＴB のときは、室温ＴR と使用者の設定温度ＴC との差に応じて、供給する温水の温度、及び／又は、温水供給をＯＮ−ＯＦＦする時間（断続時間）を制御することとしてもよい。
温度差が所定値以下で床温が高いと推定される場合には、実際の室温と設定温度の差を考慮することで、床温及び室温をいずれも快適な温度範囲に制御することができる。
【００１１】
また、この態様においては、  ＴS −ＴB ≧Ｔ4 のときは高温水を連続的に温水管路に流し、  Ｔ4 ＞ＴS −ＴB のときは、室温ＴR と使用者の設定温度ＴC との差に応じて低温水を断続的に温水管路に流すこととしてもよい。
温度差が所定値以上の場合は床温が低、所定値未満の場合は床温が高と推定する。床温が高の場合には、実際の室温と設定温度との差に応じて低温水を断続的に供給することで、床温及び室温をいずれも快適な温度範囲に制御することができ、過剰のエネルギを消費することがない。
【００１２】
これらの態様においては、  上記温水の循環開始後、温水の循環時間が経過してから後に上記制御を開始することが好ましい。
運転開始直後に温度差を測定すると、戻り温は、温水が供給される前の低い値となり、温度差は放熱された熱量には相当しない。したがって、運転が開始されて、温水が床暖房を循環する時間を経過してから制御を開始することにより、安定な温度制御を行うことができる。
【００１３】
また、  上記温度差を検知する際に、ある時の温水の往き温ＴS から、その時から温水の循環時間経過後の温水の戻り温ＴB を差し引くこととしてもよい。
往き温が測定された温水が床暖房を循環して戻ってきたときの戻り温を測定することにより、より正確な放熱量を知ることができる。
【００１４】
本発明の一つの態様の床暖房装置は、建物の床に敷設された温水管路と、該管路に温水を供給する熱源機と、各温水管路への温水供給を制御する弁と、各温水管路に供給される温水の温度を検出するセンサと、各温水管路から戻ってくる温水の温度を検出するセンサと、上記各温度計の信号を受けて上記熱源機及び弁を制御する制御部と、を備え、上記制御部が、上記温水管路に供給する温水の温度（往き温ＴS ）と該管路から戻ってくる温水の温度（戻り温ＴB ）との温度差を検知し、ＴS −ＴB ≧Ｔ1 のときは高温水を連続的に温水管路に流し、Ｔ1 ＞ＴS −ＴB ≧Ｔ2 のときは低温水を連続的に温水管路に流し、
Ｔ2 ＞ＴS −ＴB のときは低温水を断続的に温水管路に流すことを特徴とする。
温水管路に供給する温水の温度（往き温ＴS ）と、戻ってくる温水の温度（戻り温ＴB ）との温度を検知するセンサを備えたことで、放熱される熱量から床温を推定することができる。
【００１５】
また、この態様においては、  制御部が床暖房の対象となる室の温度ＴR を検知することとしてもよい。実際の室温をも考慮することで、床温及び室温をいずれも快適な温度範囲に制御することができる。
【００１６】
【発明の実施の形態】
以下、図面を参照しつつ説明する。
図１は、本発明の実施例に係る床暖房装置を模式的に示す図であり、図１（Ａ）は装置全体の構成図、図１（Ｂ）は制御部のブロック図である。
この床暖房装置の熱源機１は、温水循環管路を通じて床暖房５及びエアコン７に温水を供給している。床暖房５には通常では６０℃の温水、ホットダッシュ運転時には８０℃の温水が供給される。エアコン７には常時８０℃の温水が供給される。熱源機１内には制御装置１１が設けられている。同制御装置１１は、エアコン７や床暖房５の操作リモコン３から運転指令を受ける。
【００１７】
熱源機１内には、暖房膨張タンク１３、ポンプ１５、熱交換器１７、バーナ１９、ファン２１等が備えられている。バーナ１９にはガス比例弁２３を介してガス供給源２５から燃焼ガスが供給される。また、バーナ１９にはファン２１から燃焼用空気が送られる。バーナ１９の燃焼ガスは熱交換器１７に送られる。熱交換器１７は、蛇行する水管とフィンを有する。ポンプ１５から熱交換器１７に送られた水は熱交換器１７で昇温され、行きの管路１８を通って床暖房５及びエアコン７に送られる。床暖房５及びエアコン７を通過した温水は、戻りの管路１２を通って熱源機１の暖房膨張タンク１３に戻される。暖房膨張タンク１３は、戻された温水を一時貯留する。熱交換器１７出側の管路には温度センサ３３が設けられており、熱交換器入側の管路には温度センサ３１が設けられている。
【００１８】
また、床暖房往き管路５２には温度センサ５５が設けられており、戻りの管路６２にも温度センサ５７が設けられている。
【００１９】
温水循環管路には弁３５、３７、５１、６１等が設けられている。三方弁３５は、熱交換器１７を通過した高温側の管路１８と、熱交換器１７を通過しない低温側の管路１６を結ぶ位置に設けられている。この弁の開閉によって、エアコン７には８０℃の温水を供給し、床暖房５には６０℃及び８０℃の温水を別々に供給することができる。バイパス弁３７は高温側の管路１８と、エアコン７及び床暖房５からの戻りの管路１２とを結ぶバイパス管路３８に設けられている。この弁も、床暖房５に６０℃及び８０℃の温水を別々に供給するよう開閉する。弁５１及び６１は床暖房５への行き及び戻りの管路５２、６２に設けられて、床暖房５への温水の供給をＯＮ−ＯＦＦ制御する。弁５３及び弁６３は別に敷設された床暖房往き及び戻りの管路に設けられる。
【００２０】
次に、床暖房装置において温水供給温度を６０℃（通常運転）と８０℃（ホットダッシュ運転）に設定する場合の熱源機の動作を説明する。
図２は、熱源機と床暖房の間の温水循環系統を模式的に示す図であり、図２（Ａ）は６０℃の温水を供給する場合、図２（Ｂ）は８０℃の温水を供給する場合の温水の流れを示す。
床暖房装置１への温水供給温度は、制御装置１１のホットダッシュ運転制御部１０３からの三方弁３５とバイパス弁３７の開閉によって切り替えられる。
【００２１】
温水温度を８０℃にする場合は、図２（Ａ）に示すように、三方弁３５の、熱交換器１７を通過しない行きの管路側のポート３５ａのみが閉じられ、他のポート３５ｂ、３５ｃは開かれる。バイパス弁３７（図１参照）は閉じられる。したがって、温水は、熱交換器１７から出側の管路１８及び床暖房行きの管路５２を通って床暖房５に送られ、床暖房１から戻りの管路６２を通って熱膨張タンク１３に戻される。このとき、熱交換器出側管路１８に設けられた温度センサ３３で検知される温水温度が８０℃となるように、制御部１１の燃焼制御部１０５がファン２１及びガス比例弁２３を制御する。その結果、８０℃の温水が床暖房５に供給される。
【００２２】
温水温度を６０℃にする場合は、図２（Ｂ）に示すように、三方弁３５の、熱交換器出側管路側のポート３５ｂのみが閉じられ、他のポート３５ａ、３５ｃは開かれる。また、バイパス弁３７は開かれる。したがって、温水は、ポンプ１５から熱交換器１７を通過する管路１８と通過しない管路１６に別れる。熱交換器出側管路１８は、バイパス管路３８を介して戻りの管路１２に直接つながる。したがって熱交換器１７で加熱された温水がタンク１３に直接戻ることになる。一方、熱交換器１７を通過しない管路１６は床暖房行き管路５２につながり、タンク１３の温水が床暖房１に送られる。床暖房１からは、戻りの温水が戻りの管路６２を通って戻され、熱交換器１７を通過した温水の通るバイパス管路３８と合流してタンク１３に至る。
【００２３】
すなわち、ポンプ１５から熱交換器１７への管路が分岐していることによって、床暖房循環管路中へは、熱交換器１７を通過しない比較的低温の温水が送られる。一方、熱交換器１７で加熱された温水がタンク１３に供給されて、タンク１３内の温水温度の低下を補う。この動作を継続して、高温の温水と低温の温水を混ぜて、適宜な温度の温水を発生させる。このとき、床暖房行きの管路５２に設けられた温度センサ５５（図１参照）で検知される温度が６０℃となるように、制御部１１の燃焼制御部１０５がファン２１及びガス比例弁２３を制御する。これにより、約６０℃の温水が床暖房５に供給される。
【００２４】
制御装置１１には、図１（Ｂ）に示すように、ホットダッシュ運転制御部１０３、燃焼制御部１０５等が設けられている。ホットダッシュ運転制御部１０３は、三方弁３５とバイパス弁３７を制御する。燃焼制御部１０５は温度センサ３１、３３で検知された温度が入力される。また、燃焼制御部１０５は、ファン２１やガス比例弁２３を制御し、バーナ１９の発生熱量を調整する。
【００２５】
さらに、燃焼制御部１０５には床暖房往き管路５２の温度センサ５５の検知した温度、及び、戻りの管路６２の温度センサ５７の検知した温度が入力されている。入力される温度データを処理して、所定時間（例えば１０分間）内での平均値としての往き管路５２内の温水の温度、及び、戻り管路６２内の温水の温度を得る。得られた温度から、往き温と戻り温の差を求める。なお、温度の微分値を演算して、その値に基づいて制御を行うこともできる。
【００２６】
図３は、図１の床暖房装置の制御を示すフローチャートである。
最初に、Ｓ１０で、制御部１１において、往き温センサ５５、戻り温センサ５７から入力される温度データを読み込み、数値処理して往き温度ＴS 、戻り温ＴB を得る。次にＳ１１で、ＴS −ＴB の値が第一所定値Ｔ1 （例えば１５deg ）以上か判定する。ＴS −ＴB がＴ1 よりも大きければ、Ｓ１２に進み、８０℃の高温水を連続的に床暖房循環管路に供給する。
【００２７】
Ｓ１１で、ＴS −ＴB がＴ1 よりも小さければ、Ｓ１３に進み、ＴS −ＴB が第二所定値Ｔ2 （例えば１０deg ）以上か判定する。ＴS −ＴB がＴ2 よりも大きければ、Ｓ１４に進み、６０℃の温水を連続的に供給する。Ｓ１３で、ＴS −ＴB がＴ2 よりも小さければ、Ｓ１５に進み、ＴS −ＴB が第三所定値Ｔ3 （例えば８deg ）以上か判定する。ＴS −ＴB がＴ3 よりも大きければ、Ｓ１６に進み、６０℃の温水を断続的（１５分間ＯＮ、５分間ＯＦＦ）に供給する。Ｓ１５で、ＴS −ＴB がＴ3 よりも小さければ、Ｓ１７に進み、ＴS −ＴB が第四所定値Ｔ4 （例えば５deg ）以上か判定する。ＴS −ＴB がＴ4 よりも大きければ、Ｓ１８に進み、６０℃の温水を、ＯＮ時間をＳ１６の場合よりも短くして断続的（１０分間ＯＮ、１０分間ＯＦＦ）に供給する。
【００２８】
Ｓ１７で、ＴS −ＴB がＴ4 よりも小さければ、Ｓ１９に進み、ＴS −ＴB が第五所定値Ｔ5 （例えば３deg ）以上か判定する。ＴS −ＴB がＴ5 よりも大きければ、Ｓ２０に進み、６０℃の温水を、ＯＮ時間をＳ１８の場合よりも短くして断続的（５分間ＯＮ、１５分間ＯＦＦ）に供給する。Ｓ１９で、ＴS −ＴB がＴ4 よりも小さければ、Ｓ２１に進み、６０℃の温水を、ＯＮ時間をＳ２０の場合よりも短くして断続的（３分間ＯＮ、１７分間ＯＦＦ）に供給する。
【００２９】
この例においては、特に温度差が大きい場合、すなわち床温が相当に低いと推定される場合に高温の温水を供給するため、迅速に床温を上昇させることができる。
【００３０】
図４は、図１の床暖房装置の制御の他の例を示すフローチャートである。
最初に、Ｓ３０で、制御部１１において、往き温センサ５５、戻り温センサ５７から入力される温度データを読み込み、数値処理して往き温ＴS 、戻り温ＴB を得る。次にＳ３１で、ＴS −ＴB の値が第一所定値Ｔ1 （例えば１０deg ）以上か判定する。ＴS −ＴB がＴ1 よりも大きければ、Ｓ３２に進み、６０℃の温水を床暖房循環管路に連続的に供給する。
【００３１】
Ｓ３１で、ＴS −ＴB がＴ1 よりも小さければ、Ｓ３３に進み、ＴS −ＴB が第二所定値Ｔ2 （例えば８deg ）以上か判定する。ＴS −ＴB がＴ2 よりも大きければ、Ｓ３４に進み、６０℃の温水を断続的（１５分間ＯＮ、５分間ＯＦＦ）に供給する。Ｓ３３で、ＴS −ＴB がＴ2 よりも小さければ、Ｓ３５に進み、ＴS −ＴB が第三所定値Ｔ3 （例えば５deg ）以上か判定する。ＴS −ＴB がＴ3 よりも大きければ、Ｓ３６に進み、６０℃の温水を、ＯＮ時間をＳ３４の場合よりも短くして断続的（１０分間ＯＮ、１０分間ＯＦＦ）に供給する。Ｓ３５で、ＴS −ＴB がＴ3 よりも小さければ、Ｓ３７に進み、ＴS −ＴB が第四所定値Ｔ4 （例えば３deg ）以上か判定する。ＴS −ＴB がＴ4 よりも大きければ、Ｓ３８に進み、６０℃の温水を、ＯＮ時間をＳ３６の場合よりも短くして断続的（５分間ＯＮ、１５分間ＯＦＦ）に供給する。Ｓ３７で、ＴS −ＴB がＴ4 よりも小さければ、Ｓ３９に進み、６０℃の温水を、ＯＮ時間をＳ３８の場合よりも短くして断続的（３分間ＯＮ、１７分間ＯＦＦ）に供給する。
【００３２】
この実施例においては、常に６０℃の温度の温水を供給するため、温度の切替を行う必要がなく、制御が容易となる。
【００３３】
図５は、室温センサを備えた床暖房装置の制御の他の例を示すフローチャートである。
最初に、Ｓ５０で、制御部１１において、往き温センサ５５、戻り温センサ５７、室温センサから入力される温度データ、設定温度を読み込み、数値処理して往き温度ＴS 、戻り温ＴB 、室温ＴR 、設定温度ＴC を得る。次にＳ５１で、ＴS −ＴB の値が所定値Ｔ1 （例えば１５deg ）以上か判定する。ＴS −ＴB がＴ1 よりも大きければ、Ｓ５２に進み、８０℃の温水を連続的に供給する。
【００３４】
Ｓ５１で、ＴS −ＴB がＴ1 よりも小さければ、Ｓ５３に進み、ＴR −ＴC が所定値Ｔ2 （例えば２deg ）以上か判定する。ＴR −ＴC がＴ2 よりも大きければ、Ｓ５４に進み、６０℃の温水を連続的に供給する。Ｓ５３で、ＴR −ＴC がＴ2 よりも小さければ、Ｓ５５に進み、ＴR とＴC の差に応じた断続時間を設定して供給する。
【００３５】
この実施例においては、床暖房の往き温と戻り温の温度差が小さい、すなわち床温がかなり高いと推定される場合には、室温と設定温度の差に基づいて床暖房の制御を行う。したがって、エアコンとの併用時等において、過剰に室温を上昇させることなく、床温を適切に制御することができる。
【００３６】
図６は、床暖房装置の制御の他の例を示すフローチャートである。
この床暖房装置は、運転開始時に、温水を供給する弁が開かれた時間を検知してカウントを開始するタイマを有する。
運転が開始されると、最初に、Ｓ６０で温水を供給する弁が開かれる。次に、Ｓ６１でタイマがカウントを初め、同時に往き温ＴS を検出する。次に、Ｓ６２でタイマが、温水が床暖房を循環する時間がカウントしたかを判定する。
【００３７】
循環時間がカウントされていればＳ６３に進み、戻り温ＴB を検出する。そしてＳ６４に進み、検出されたＴS とＴB から温度差ＴS −ＴB を求め、温度差に応じて弁の制御を行う。
【００３８】
この実施例によれば、往き温が測定された温水が床暖房を循環して戻ってきたときの戻り温を測定することにより、より正確な放熱量を知ることができ、適正な温度制御を行うことができる。
【００３９】
【発明の効果】
以上の説明から明らかなように、本発明によれば、温水式床暖房において、往き温と戻り温の温度差から床温を推定し、実際の床温に対応して適切な暖房を行うことのできる床暖房制御方法及び床暖房装置を提供することができる。
【図面の簡単な説明】
【図１】本発明の実施例に係る床暖房装置を模式的に示す図であり、図１（Ａ）は装置全体の構成図、図１（Ｂ）は制御部のブロック図である。
【図２】熱源機と床暖房の間の温水循環系統を模式的に示す図であり、図２（Ａ）は６０℃の温水を供給する場合、図２（Ｂ）は８０℃の温水を供給する場合の温水の流れを示す図である。
【図３】図１の床暖房装置の制御を示すフローチャートである。
【図４】図１の床暖房装置の制御の他の例を示すフローチャートである。
【図５】室温センサを備えた床暖房装置の制御の他の例を示すフローチャートである。
【図６】床暖房装置の制御の他の例を示すフローチャートである。
【符号の説明】
１  熱源機                            ３  リモコン
５  床暖房                          １１  制御装置
１２  管路                            １３  暖房膨張タンク
１５  ポンプ                          １６  管路
１７  熱交換器                        １８  管路
１９  バーナ                          ２１  ファン
２３  弁                              ２５  ガス供給源
３１  温度センサ                      ３３  温度センサ
３５  三方弁                          ３７  バイパス弁
５１、５３  弁                        ５２  往き管路
５５  温度センサ                      ５７  温度センサ
６１、６３  弁                        ６２  戻り管路
１０３  ホットダッシュ運転制御部      １０５  燃焼制御部
【図１】
0003753566.tif 000002
【図２】
0003753566.tif 000003
【図３】
0003753566.tif 000004
【図４】
0003753566.tif 000005
【図５】
0003753566.tif 000006
【図６】
0003753566.tif 000007